【手続補正書】
【提出日】平成17年8月23日(2005.8.23)
【手続補正１】
【補正対象書類名】明細書
【補正対象項目名】全文
【補正方法】変更
【補正の内容】
【書類名】          明細書
【発明の名称】グラウンドゴルフクラブ
【特許請求の範囲】
【請求項１】
シャフト及びヘッドからなる両面打ちグラウンドゴルフクラブにおいて、
前記ヘッドは、木製ヘッド本体と、硬い打球面である第一打球面と、軟らかい打球面である第二打球面とを備え、
前記ヘッドの上面には、プレーヤーが前記第一打球面と第二打球面とを識別するための打球面識別標識が設けられていることを特徴とするグラウンドゴルフクラブ。
【請求項２】
シャフト及びヘッドからなる両面打ちグラウンドゴルフクラブにおいて、
前記ヘッドは、木製ヘッド本体と、硬い打球面である第一打球面と、軟らかい打球面である第二打球面とを備え、
前記シャフトには、プレーヤーが構えたときに上から見下ろして識別できる位置に、前記第一打球面と第二打球面とを識別するための打球面識別標識が設けられていることを特徴とするグラウンドゴルフクラブ。
【請求項３】
シャフト及びヘッドからなる両面打ちグラウンドゴルフクラブにおいて、
前記ヘッドは、木製ヘッド本体と、硬い打球面である第一打球面と、軟らかい打球面である第二打球面とを備え、
前記ヘッドの上面には、プレーヤーが前記第一打球面と第二打球面とを識別するための打球面識別標識が設けられ、
前記シャフトには、プレーヤーが構えたときに上から見下ろして識別できる位置に、前記第一打球面と第二打球面とを識別するための打球面識別標識が設けられていることを特徴とするグラウンドゴルフクラブ。
【請求項４】
前記ヘッド上面には、前記第一打球面及び前記第二打球面のスイートスポットを案内するためのスイートスポット案内標識がさらに設けられている事を特徴とする請求項１乃至３何れか１項に記載のグラウンドゴルフクラブ。
【発明の詳細な説明】
【０００１】
【発明の属する技術分野】
本発明はグラウンドゴルフクラブに関する。
【０００２】
【従来の技術】
普及用として既に流通している両面打クラブは、右利きの人左利きの人を問わず使用できることを目的としているので、打球面は二面共に反発材例えばカーボンが装着されている。打球面の形はシャフトに関して非対象である、又ヘッドの上面には所謂スイートスポット、即ちクラブの芯の案内標識はあるが打球面の質の違いを示す標識はなかった。シャフトの前面には名称や模様が施され後面と外観が異なるが、打球面の質の違いを識別するためのものではなかった。
【０００３】
【発明が解決しようとする課題】
右利き又は左利きプレーヤーどちらでも不自由なく使えるグラウンドゴルフクラブであって且つ飛距離を重視した硬い打球面と、中距離短距離の狙い易さを重視した軟らかい打球面を提供する。
【０００４】
もう一つの課題は打球面が二つありどちらでも支障なく使えるため、構えたときにどちらで打とうとしているのかそのままの姿勢で確認できることが大切であるから、ヘッドの上面又はシャフトの前面及び後面を利用して識別標識を設ける。而して、置かれた状況に応じて打球面を選択してプレーできるクラブを提供する。又スイートスポットを案内する標識も必要なので打球面識別標識と混乱しないように共存させることも課題である。
【０００５】
【課題を解決する手段】
上記課題を解決するために、本発明に係るグラウンドゴルフクラブは、シャフト及びヘッドからなる両面打ちグラウンドゴルフクラブにおいて、前記ヘッドは、木製ヘッド本体と、硬い打球面である第一打球面と、軟らかい打球面である第二打球面とを備え、前記ヘッドの上面には、プレーヤーが前記第一打球面と第二打球面とを識別するための打球面識別標識が設けられていることを特徴とする。
【０００６】
また、本発明に係るグラウンドゴルフクラブは、シャフト及びヘッドからなる両面打ちグラウンドゴルフクラブにおいて、前記ヘッドは、木製ヘッド本体と、硬い打球面である第一打球面と、軟らかい打球面である第二打球面とを備え、前記シャフトには、プレーヤーが構えたときに上から見下ろして識別できる位置に、前記第一打球面と第二打球面とを識別するための打球面識別標識が設けられていることを特徴とする。
【０００７】
また、本発明に係るグラウンドゴルフクラブは、シャフト及びヘッドからなる両面打ちグラウンドゴルフクラブにおいて、前記ヘッドは、木製ヘッド本体と、硬い打球面である第一打球面と、軟らかい打球面である第二打球面とを備え、前記ヘッドの上面には、プレーヤーが前記第一打球面と第二打球面とを識別するための打球面識別標識が設けられ、前記シャフトには、プレーヤーが構えたときに上から見下ろして識別できる位置に、前記第一打球面と第二打球面とを識別するための打球面識別標識が設けられていることを特徴とする。
【０００８】
【発明の実施の形態】
ヘッドの第一打球面は母材の木に厚さ約５ｍｍのカーボンシートの積層材、グラスファイバーシートの積層材等を接着し固い面とする。第二打球面は母材の木に硬度Ｃスケールで６０程度のウレタン材を接着するか又は親和剤を塗って溶着して軟らかい面とする。
【０００９】
打球面の形は日本グラウンドゴルフ協会の用具標準規則即ちヘッドの横幅１４０−１６０ｍｍ、ヘッドの厚み４０−４５ｍｍ、ヘッドの縦幅７０−８０ｍｍ、ボールの直径６０ｍｍ、及び、プレーヤーは打球するときシャフトを垂直から１５＋／−１０度傾けて構えること等、を条件として作図すると、図１及び図４のようになる。
【００１０】
第一打球面、第二打球面共に支障無く打てるためにはソールを含むヘッドの形とシャフトの姿勢が必要条件を満たしていなければならない。先ず右利きのプレーヤーを対象に検討すると、プレーヤーは普通シャフトを垂直から１５＋／−１０度傾けて構えて狙いを定め姿勢を整えて打球する。
【００１１】
また第二打球面についても同じ条件を満たす形を求めると当然のことではあるがヘッドの形はシャフトに関して対称形になる。この形は取りも直さず左利きのプレーヤーの要求も満たしている。更に詳しく言えば、打球面の下縁の形はシャフトに関し対称形であり構える角度の自由度に配慮し円筒面にする。この円筒面はシャフトを挟んで第一円筒面、第二円筒面と呼ぶことができるが実は同じ半径の円筒面である。打球面の上縁の形はデザイン上の理由等で多少変更することは出来るが必要かつ有効な形はシャフトに関し対称形である。
【００１２】
ヘッド上面の外観は、クラブをボールに近づけて打つ姿勢を決めるときにスイートスポットを案内する標識と、選択した打球面を識別する標識の双方を構えたままの視線で確認できるようにする。また打球面を識別する標識はシャフトに設けることもできる。即ちプレーヤーが上から見下ろして識別できるようにシャフトに図４に示したように一対の文字模様等を施す。
【００１３】
グラウンドゴルフクラブの第一打球面、第二打球面、共に支障無く打てるためにはソールを含むヘッドの形とシャフトの姿勢が必要条件を満たしていなければならない。先ず右利きのプレーヤーを対象に検討すると、プレーヤーは普通シャフトを１５＋／−１０度傾けて構えて狙いを定め姿勢を整えて打球する。この条件を満たすヘッドの形状は日本グラウンドゴルフ協会の用具標準規則即ちヘッドの横幅１４０−１６０ｍｍ、縦幅７０−８０ｍｍ、ボールの直径６０ｍｍ、を守って作図すると図１の様になる。
【００１４】
また第二打球面についても同じ条件を満たす形を求めると当然のことではあるがヘッドはシャフトに関して対称形になる。この形は取りも直さず左利きのプレーヤーの要求も満たしている。更に詳しく言えば、ソールの形はシャフトに関し対称形であり打球面の上縁はデザイン上の理由等で形を変化させることは有っても必要かつ有効な形はシャフトに関し対称形になる。このように作られたクラブは右利きプレーヤー左利きプレーヤー共に第一打球面及び第二打球面を、ボールの状態、プレー環境に応じて使い分けて、楽しくプレーできる。
【００１５】
ヘッドの上面には、クラブをボールに近づけて、打つ姿勢を決めるときにスイートスポットを案内する標識と、選択した打球面を識別する標識の、双方があるから構えたままの視線で確認でき、少ない動作でプレーできる。
【００１６】
【実施例】
この発明によるグラウンドゴルフクラブは、図１，図２，図３，図４，に基づいて説明すると、木製のシャフト１、木製のヘッド本体２、シャフトとヘッドは止まり嵌めで糊で接着され、ピン１１、で位置決めされている。シャフトの上端にはグリップ１８，が装着してある。第一打球面のカーボン積層材３、は本体に接着されている。第二打球面のウレタン材４、は本体に親和剤を塗り成形接着されている。第一打球面右プレイヤー用スウィートスポット５、第一打球面左プレイヤー用スウィートスポット６、は打つときのシャフトの傾きボールの直径を考慮して求めた位置である。打球面の下縁に装着されたソールの形はクラブの姿勢とその自由度を考慮して決められた右利きプレーヤ用第一円筒面７、と左利きプレーヤ用第二円筒面８を有しでその半径は４００ｍｍ程度である。この値は日本グラウンドゴルフ協会の用具標準規則即ちヘッドの横幅１４０−１６０ｍｍ縦幅７０−８０ｍｍボールの直径６０ｍｍに従って設計した値である。
【００１７】
アルミ板９，は接着の上数本の木ねじ１０、で固定されている。ヘッドの上面には右利きプレーヤーに第一打球面のスイートスポットを案内する標識１３、と、同じく右利きプレーヤーに第二打球面のスイートスポットを案内する標識１４、と左利きプレーヤーに第一打球面のスイートスポットを案内する標識１５と、同じく左利きプレーヤーに第二打球面のスイートスポットを案内する標識１６、と第一打球面と第二打球面を識別できる標識１７を有するが標識１７，を補う手段として、又はこれに代わる手段としてシャフト１、にはシャフト前面標識１９，及びシャフト後面標識２０，を設けることもできる。
【００１８】
【発明の効果】
以上説明したように本発明に依ればグラウンドゴルフクラブに於いて硬い打球面、軟い打球面の選択を可能にしたので、プレーの段階とボールの状態に応じてより適した打球面で打つことが出来る。ヘッド下縁は適度な曲率の円筒面で有るからシャフトを構える角度への順応性もある。またヘッド上面にスイートスポットの案内標識及び打球面を識別する標識を設けてある。更にシャフトにも打球面を識別する標識があるから、打球面の選択を間違う事がないしスイートスポットを使った打球ができる。従ってグラウンドゴルフを一層楽しむことが出来る。
【図面の簡単な説明】
【図１】 図１は、グラウンドゴルフクラブのヘッドの構成図を示す図である。
【図２】 図２は、グラウンドゴルフクラブのヘッドの上面図である。
【図３】 図３は、ヘッドの側面図である。
【図４】 図４は、グラウンドゴルフクラブの全体図である。
【符号の説明】
１      シャフト
２      ヘッド本体
３      第一打球面
４      第二打球面
５      右利きプレーヤー用第一打球面スイートスポット
６      左利きプレーヤー用第一打球面スイートスポット
７      ソールプレート第一円筒面
８      ソールプレート第二円筒面
９      ソールプレート
１０    木ねじ
１１    回り止め
１３    右利きプレーヤー第一打球面用スイートスポット案内標識
１４    右利きプレーヤー第二打球面用スイートスポット案内標識
１５    左利きプレーヤー第一打球面用スイートスポット案内標識
１６    左利きプレーヤー第二打球面用スイートスポット案内標識
１７    打球面識別標識
１８    グリップ
１９    シャフト前面標識
２０    シャフト後面標識